(57)【要約】【課題】注射器を提供する。【解決手段】設定済み薬用量をアンプルから分配する注射器は、一方向に移動されて薬用量を設定し、反対方向に移動されて設定済み薬用量を注射する薬用量設定部材を有する薬用量設定注射機構を備えている。ピストン前進機構はピストンロッドとピストンロッド駆動体とを有し、薬用量設定注射機構はピストン前進機構に、薬用量設定部材の薬用量注射方向のピストンロッド駆動体への移動のみを伝える一方向カップリングを介して連結されている。空気噴射ボタンの操作は、ピストン前進機構に作用してピストンを前進させ、調整可能な一定体積を放出させる。空気噴射ボタンは一方向カップリングを介してピストンロッド駆動体に連結されており、ピストンロッドは空気噴射ボタンが押されたときに一方向カップリングを介して前進されるか、注射ボタンが正常な押し下げ終了位置を越えて押されるように注射ボタン用の終了止めを移動させる。【選択図】  図１
2007289741.tif 000002
【特許請求の範囲】
【請求項１】
これによりアンプルから薬が設定済み薬用量だけ分配される注射器であって、一方向に移動されて薬用量を設定し、反対方向に移動された設定済み薬用量を注射する薬用量設定部材を有する薬用量設定注射機構と、ピストンロッドとピストンロッド駆動体を有するピストン前進機構とを備えており、薬用量設定注射機構が、薬用量設定機構の薬用量注射方向の移動のみをピストンロッド駆動体に伝える一方向カップリングを介して、ピストン前進機構に連結されている注射器において、空気噴射ボタンが設けられており、その操作はピストン前進機構に作用して一定体積の薬の放出に対応した距離だけピストンを前進させることを特徴とする注射器。
【請求項２】
一定体積が好適な一定薬用量に設定されるように調整可能である、請求項１に記載の注射器。
【請求項３】
空気噴射ボタンが第二の一方向カップリングを介してピストンロッド駆動体に連結されており、ピストンロッドは、吸気噴射ボタンが押されたときに、第二の一方向カップリングを介して前進され、第二の一方向カップリングは、空気噴射ボタンが開放されたときに、ピストンロッドに作用することなく、空気噴射ボタンが初期位置に戻るのを許すことを特徴とする、請求項１または請求項２に記載の注射器。
【請求項４】
第二の一方向カップリングは空気噴射ボタンに接続された爪を有しており、この爪がピストンロッド駆動体の歯にかみ合っていることを特徴とする、請求項３に記載の注射器。
【請求項５】
第二の一方向カップリングは空気噴射ボタンに接続された爪を有しており、この爪が歯付ピストンロッドを駆動するピストン駆動ナットの歯にかみ合っていることを特徴とする、請求項４に記載の注射器。
【請求項６】
第二の一方向カップリングの爪がピストン引込戻り止めを構成している、請求項４または請求項５に記載の注射器。
【請求項７】
空気噴射ボタンは操作により注射ボタン用の終了止めを移動させることを特徴とする、請求項１または請求項２に記載の注射器。
【発明の詳細な説明】
【技術分野】
【０００１】
本発明は、これによりアンプルから薬が予備設定済み薬用量だけ分配される注射器であって、一方向カップリングを介して、ピストンロッドをアンプル内に前進させるピストンロッド駆動機構に連結されている薬用量設定機構を有しており、薬用量設定機構は、ピストンロッドの移動を伝えることなく、一方向に移動されて薬用量を設定し、反対方向に移動されて設定済み薬用量を注射し、この移動によって、移動がピストンロッドに伝えられ、設定済み薬用量に対応する量の薬がアンプルから押し出される距離だけピストンロッドを前進させる注射器に関する。
【背景技術】
【０００２】
薬は、アンプルの内部空間に連絡する注射器に取り付けられた針から押し出される。薬用量の薬を注射するため、薬用量設定機構の動作によって薬用量が設定され、針は使用者または患者の皮膚を通して挿入され、薬用量の設定に用いる方向と反対の方向に薬用量設定機構を操作することによって設定済み薬用量が注射される。
【０００３】
EP 37 696は、第一駆動部材とピストンを駆動するラチェット歯付第二駆動部材の間の一方向カップリングが、第一駆動部材のピストン前進方向の移動のみを第二駆動部材に伝える薬投与装置を開示している。
【０００４】
WO 93/07922には、薬用量設定ノブを一方向に回転させることによって薬用量が設定される注射器が開示されている。薬用量設定ノブは一方向カップリングの一部に接続されていて、これを介して薬用量設定ノブはピストン駆動体に連結されており、ピストン駆動体は、回転はするがハウジング内を縦に移動しないようにハウジング内に軸受けされているナットを有している。薬用量設定ノブとピストン駆動ナットの間の一方向カップリングは、ピストン前進回転のみがピストン駆動ナットに伝えられるように向けられている。
【特許文献１】EP 37 696
【特許文献２】WO 93/07922
【発明の開示】
【発明が解決しようとする課題】
【０００５】
しかし、薬用量が設定され注射に備えられる前に、空気が注射されないようにしなければならない。針やアンプル内の空気を除くために、薬の少量（例えば１０や２０μｌ）の薬用量が設定され、皮膚へ針を挿入することなく、注射操作が行なわれる。このいわゆる空気噴射によって、空気が針から押し出される。針の先端において、空気のすべてが押し出され、流体のみが針内に残っているか否かが、容易に見分けることができる。極少量の流体の噴射が空気噴射の終わりに見られないときは、そのような噴射が見られるまで、新しい少量の薬用量が設定され、新しい空気噴射が行なわれなければならない。少量の薬用量の繰り返し設定とそれに続く空気噴射を実行しなければならないのを避けるため、使用者は、たった一回の空気噴射をしさえすればよいように、いくらか多量の薬用量を設定したい衝動にかられるかもしれない。これにより、不必要な量の高価な薬が浪費されかねない。また、上述したタイプの多くの注射器では、一度設定した薬用量が無駄にならないように、取り消し機構は存在せず、少なくともこれは特別な防止策を必要とする。従って、薬用量が設定され、その後で使用者が空気噴射をし忘れていることを思い出すと、薬用量が浪費されてしまい、無駄防止策が可能な限り取られなければならない。さらに、空気噴射の間、注射器は針を上に向けて操作しなければならない。多くの注射器は針を下に向けて操作されるように設計されているので、針を上に向けての操作は、いくぶん扱い難い。
【０００６】
本発明の目的は、これらの不具合が解消される注射器を提供することである。
【課題を解決するための手段】
【０００７】
これは、本明細書の冒頭部に記載された種類の注射器であって、一方向カップリングのピストン駆動機構側のみに作用して、一定体積の薬の放出に対応した距離だけピストンロッドを前進させる空気噴射ボタンを備えていることを特徴とする本発明による注射器によって得られる。一定体積は注射器の製造によって１０ないし２０μｌになるように設定されてもよい。あるいは、一定体積は好適な一定薬用量に設定されるように調整可能であってもよい。
【０００８】
カートリッジと針から空気がすべて放出されたとき、空気噴射ボタンは空気噴射に応じたサイズの一定の少量の薬用量の注射に使用されてもよい。
【０００９】
空気噴射ボタンは第二の一方向カップリングを介してピストンロッドに連結されており、ピストンロッドは、吸気噴射ボタンが押されたときに、第二の一方向カップリングを介して前進され、第二の一方向カップリングは、空気噴射ボタンが開放されたときに、ピストンロッドに作用することなく、空気噴射ボタンが初期位置に戻るのを許す。
【００１０】
本発明のある実施形態によると、第二の一方向カップリングは空気噴射ボタンに接続された爪を有しており、この爪はピストンロッド駆動体の歯にかみ合っている。
【００１１】
本発明の別の実施形態によると、第二の一方向カップリングは空気噴射ボタンに接続された爪を有しており、この爪は歯付ピストンロッドを駆動するピストン駆動ナットの歯にかみ合っている。
【００１２】
本発明によると、第二の一方向カップリングの爪はピストン引込戻り止めを構成していてもよい。
【００１３】
本発明のある実施形態では、空気噴射ボタンは操作により注射ボタン用の終了止めを移動させ、ピストン前進機構に作用して、注射ボタンを押すことにより得られる一定体積の薬の放出に対応した距離だけピストンを前進させる。
【発明を実施するための最良の形態】
【００１４】
以下、図面を参照しながら本発明について詳しく説明する。
【００１５】
図１は、通常のペン型の注射器を概略的に示しており、これは、ハウジング１と、薬用量の設定用のノブ２を備えており、薬用量のサイズを窓３を通して読み取れる。針受け部材を備える注射器の端部は、図では、キャップ４で覆われており、キャップは、ペンが万年筆のようにポケットに入れて持ち運ばれるように、クリップ５を備えている。ペンのピストン駆動機構は、回転可能ではあるがハウジング内を縦に移動可能ではないナットが一方向カップリングを介して一方向に回転され、回転可能ではないがナットの歯とのかみ合いによってハウジング内を縦に移動可能である歯付ピストンロッドがアンプル内に駆動され、アンプル内の薬を押し出すタイプである。空気噴射はペンにリング６を設けることによって確立され、リングは正逆回転されてもよく、ナット上の爪車にかみ合う内側爪によりピストン駆動ナットを毎回わずかな角度だけ回転させ、これによりピストン駆動ナットが一方向に回転されるが、リングが反対方向に回転されるときは、爪は爪車の歯を乗り越える。
【００１６】
図２は、ペンタイプ用のピストンロッド駆動機構を概略的に示しており、これは、フレキシブルなピストンロッドを使用することによりペンよりも短くなりうるが、これと同時に薬用量設定機構がアンプルの延長上でなくその横に配置されるために幅広になる。ピストンロッドは複数の短いセクション７によって構成されており、セクションは駆動ギヤ９にかみ合う歯８を有している。さらに、セクションは硬化プレート１０を有しており、セクションは互いに蝶番式に連結されていて、ピストンロッドをフレキシブルにしている。ピストンをアンプル内に押しているピストンロッドの部分では、硬化プレートは積み重なって、ギヤからピストンへ積み重なった硬化プレートを介して、圧力が伝わるのを可能にしている。注射はボタン１１を押すことによって行なわれ、ボタンを介してキャリアロッド上の傾斜状歯付き歯１２は、キャリアロッド１３の下方への移動を、ギヤ９に固定された、その周囲に傾斜状歯１５を持っている爪車１４に伝える。注射移動は、キャリアロッド１３の端が終了止め１９に接したときに、止まる。薬用量の設定の後、戻り止め１６は、爪車１４がピストンロッド前進方向に回転するのを許すが、爪車１４がピストンロッド後退方向に回転するのを防止するので、キャリアロッド１３の歯１２が爪車１４の歯の傾斜を越えてスライドする動作によって、キャリアロッド１３は終了止め１９から遠ざけられる。
【００１７】
プッシュロッド１７は、図示しない空気噴射ボタンの、矢印１８で示される方向の動きを伝える。キャリア上の爪と戻り止め１６は爪車１４のピストン前進方向の回転を許すので、ロッド１７は爪車１４をピストン前進方向に回転させる。しかし、プッシュロッド１７が戻るとき、それは、戻り止め１６とキャリア上の歯１２の急な端によって回転するのが妨げられている爪車１４の歯の傾斜を越えてスライドする。実際には、空気噴射ボタンが操作されたときにキャリアが戻り止めとして働き、キャリアが操作されたときにプッシュロッドが戻り止めとして働くので、戻り止め１６は無くてもよい。
【００１８】
図３は、図２に図示された薬用量設定機構とフレキシブルピストンを使用するタイプの注射器を概略的に示している。注射器は、アンプルに適応したハウジングを有しており、アンプルは、ハウジングのスロット状窓２０を通して点検されうる。アンプルの端にある針受け部材には、注射針２２を通す針ハブ２１が設けられている。薬用量が薬用量設定ドラム２３によって設定され、設定済み薬用量のサイズが窓２４に示される。ハウジングは、針受け部材の横に、注射の間、皮膚との接触を維持し、針の挿入の深さを制御する接触面２５を備えている。空気噴射ボタン２６が、この接触面の内側の窪み２７に配置されている。空気噴射ボタン２６の操作は図２に示されるプッシュロッド１７に伝えられ、爪車１４がひとつの歯の通過に応じて回転される。空気噴射ボタンを接触面２５の内側に配置することによって、空気噴射ボタンが注射の目的に使用されないことは確実である。この安全確保が高い優先順位を持たない場合には、空気噴射ボタンは適当な場所に配置されてもよい。
【００１９】
ピストンロッド駆動体に独立に働く代わりに、空気噴射ボタンが注射ボタンの終了止めを開放して、薬用量が設定される前に、注射ボタンが正常な終了止めを越えてわずかな距離だけ押されるようにしてもよい。このタイプの空気噴射機構の一例を図４に示す。図４に示す機構は、図２に示す機構に対応しており、図２の部品に対応する部品には同一参照符号が付されている。この機構は、キャリアロッド１３用の終了止めを構成する部材２８によって拡張されている。部材２８は、キャリアロッドの端が接触する端部に突起２９を有している。別の突起３０は、空気噴射ボタンあるいはそれによって操作されるプッシュロッドを構成している。空気噴射機構の操作は、矢印３１によって記号化されている。矢印３１の方向の部材２８の作用は、この部材を、破線で示される位置へ移動させる。これにより部材２３の端はもはやキャリア１３用の終了止めを構成せず、キャリアはその端が突起２９に接触するまで更に押されることができ、すなわち、空気噴射ボタンが押されるかぎり、キャリアは、そのゼロ点を越えて、少なくともキャリア上のひとつの歯の長さに等しく調整されうる距離だけ押されてもよい。
【図面の簡単な説明】
【００２０】
【図１】図１は、回転によりピストン前進ナットを駆動する回転可能ベルトの形をした空気噴射ボタンを備えるペン型注射器を概略的に示しており、
【図２】図２は、歯付ロッドに基づくピストン駆動機構を有する注射器の実施形態における空気噴射ボタンの機能を概略的に示しており、
【図３】図３は、図２に示されるピストンロッド駆動機構を備える注射器を概略的に示しており、
【図４】図４は、図２に示されるピストンロッド駆動機構の別の実施形態を示している。
【図１】
2007289741.tif 000003
【図２】
2007289741.tif 000004
【図３】
2007289741.tif 000005
【図４】
2007289741.tif 000006
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
アンプルから薬を設定済み薬用量だけ分配する注射器であって、一方向に移動されて薬用量を設定し、その反対方向に移動されて設定済み薬用量を注射する薬用量設定部材を有する薬用量設定注射機構（２，２３）と、ピストンロッド（７，８，１０）とこれを駆動するピストンロッド駆動体とを有するピストン前進機構とを備えており、薬用量設定注射機構（２，２３）注射ボタン（２，１１）を有しており、薬用量設定注射機構（２，２３）が、薬用量設定機構の薬用量注射方向の移動のみをピストンロッド駆動体に伝える一方向カップリングを介して、ピストン前進機構に連結されている注射器において、薬用量設定注射機構（２，２３）に加えて空気噴射ボタン（６，２６，３０）が設けられており、その操作はピストン前進機構に作用して一定体積の薬の放出に対応した距離だけピストンロッド（７，８，１０）を前進させ、空気噴射ボタン（６，２６，３０）が第二の一方向カップリングを介してピストンロッド駆動体に連結されており、第二の一方向カップリングは、吸気噴射ボタンが押されたときに、ピストンロッド（７，８，１０）を前進させ、空気噴射ボタン（６，２６，３０）が開放されたときに、ピストンロッド（７，８，１０）に作用することなく、空気噴射ボタン（６，２６，３０）を初期位置に戻すことを特徴とする注射器。
【請求項２】
第二の一方向カップリングは空気噴射ボタン（６，２６，３０）に接続されたギヤ（９）を有しており、このギヤ（９）がピストンロッド駆動体の歯（８）にかみ合っていることを特徴とする、請求項１に記載の注射器。
【請求項３】
第二の一方向カップリングは空気噴射ボタン（６，２６，３０）に接続された爪（１４）を有しており、この爪（１４）が歯付ピストンロッドを駆動するピストン駆動ナットの歯（１２）にかみ合っていることを特徴とする、請求項２に記載の注射器。
【外国語明細書】
2007289741000001.pdf